(57)【要約】【課題】暗所でノズルを使用可能にする、中心部にフラッシュライトを備えたウォーターホース用ノズルを提供する。【解決手段】ホース用ノズルはフラッシュライトを収め、フラッシュライトのヘッド部はノズルのバレル部に接続されたヘッド部材に配置される。フラッシュライトのヘッド部はパターンプレートの中心穴に結合され、よって水がパターンプレートの開口部を通じ流れる。フラッシュライトを制御するコントロールセットがバレル部の後部に接続されノズルの外側より使用可能となり、よってフラッシュライトがホース用ノズルより独立して操作可能となる。【選択図】図１
2005310474.tif 000002
【特許請求の範囲】
【請求項１】
ハンドル及び該ハンドルに接続されたバレル部と、ハンドルを通して定められ、バレル部の中空部に通じる水路と、
バレル部の前部開口部に接続されたヘッド部材と、該ヘッド部材に結合されたパターンプレートと、及び
ヘッド部材に設けられ、パターンプレートに接続されたフラッシュライトと、
を含む多機能ノズル。
【請求項２】
フラッシュライトが、バレル部内に収められたボデー部及びバレル部の前部開口部より伸びたヘッド部を有し、環状ギャップがフラッシュライトとバレル部の内周との間に定められ、環状水路が環状ギャップとヘッド部材内部との間を通じており、コントロールセットがバレル部後部に回転可能に接続されフラッシュライトを制御する、請求項１に記載のノズル。
【請求項３】
パターンプレートが、フラッシュライトのヘッド部と結合する中心穴を有する請求項２に記載のノズル。
【請求項４】
ヘッド部材がその後部より伸びる凸部を含有し、凹部がバレル部の内周に定められ、凸部が凹部と結合する、請求項１に記載のノズル。
【請求項５】
ヘッド部材がねじ山状外周を含み、パターンプレートがヘッド部材の端部に置かれ、締め付け部材がヘッド部材のねじ山状外周にねじ込み接続され、パターンプレートが固定される、請求項１に記載のノズル。
【請求項６】
ヘッド部材が、ソケット及び該ソケットに収められたバルブと、ソケットにねじ込み接続されたキャップ及び該キャップに結合された反射面を有する反射板とを含有し、該バルブは反射板を通して伸び、反射板の反射面の焦点位置に配置される、請求項２に記載のノズル。
【請求項７】
バルブより伸び、ボデー部に収められた電池の片方の端部に接続されるよう適合された第１導電部材と、バルブより伸びる第１端部及びボデー部の後部に伸びる第２端部を有する第２導電部材と、ボデー部内の電池の他方の端部に接触するよう適合され、可動的に第２導電部材の第２端部に接触する接触片を有するコントロールセットと、をさらに含む請求項６に記載のノズル。
【請求項８】
コントロールセットが、バレル部後部でねじ山状外周にねじ込み接続されているエンドカラーと、エンドカラーに回転可能に接続されているスイッチ部材と、スイッチ部材に接続され、ボデー部内の電池の第２端部に接触するよう適合された接触部材と、接触部材より伸びる接触片と、を含む請求項７に記載のノズル。
【請求項９】
エンドカラーがその端部に定められた環状凹部を含有し、スイッチ部材が該環状凹部に可動的に結合される差込部を含有する、請求項８に記載のノズル。
【請求項１０】
エンドカラーが先細になった内周を含有する開口部を含有し、スイッチ部材がエンドカラーの開口部を通じて伸びる管状部及び管状部より伸び、先細になった内周に適合する先細フランジを含有する請求項８に記載のノズル。
【請求項１１】
フラッシュライトが、ヘッド部材に収められるボデー部及び該ボデー部の前部に回転可能に結合され、前部に反射面を有する反射板ユニットと、反射板ユニットの反射面の焦点位置に設けられたバルブ及び反射板ユニット後部より伸びる２つの極部材と、ボデー部内に設けられ、ボデー部内に収められた電池に電気的に接続された２つの導電部材を有する導電片とを含有し、該２つの極部材は反射板ユニットを回転させることにより２つの導電部材に可動的に接触する、請求項１に記載のノズル。
【請求項１２】
反射板ユニットが、その表面より伸びる２つの突出部を含有する請求項１１に記載のノズル。
【請求項１３】
導電片が位置決め部材を含有し、ボデー部がその内周にガイドスロットを有し、位置決め部材がガイドスロットに挿入される、請求項１１に記載のノズル。
【請求項１４】
反射板ユニットが外側に伸びるフランジを含有し、ボデー部がその内周に定められた溝部を含有し、反射板ユニットのフランジが回転可能に溝に結合される、請求項１１に記載のノズル。
【請求項１５】
反射板ユニットがその外周に第１肩部を含有し、ボデー部がその内周に第２肩部を含有し、第１肩部及び第２肩部はそれらの間に固定されたシールリングによって互いに結合されている請求項１１に記載のノズル。
【発明の詳細な説明】
【技術分野】
【０００１】
本発明は、暗所で照明を提供するフラッシュライトを備えたウォーターホース用ノズルに関する。
【背景技術】
【０００２】
従来のウォーターホース用ノズルは通常、前部にスプレーノズル及びハンドルを備えたバレル部を含む。ホースはハンドルに接続され、水をノズルに提供し、水はスプレーノズルより放出される。従来のウォーターホース用ノズルは一つの機能のみを有し、バルブとして機能することによりスプレーノズルからの水の噴出の制御をし、蛇口から離れた場所で植物に水を撒くことができる。夜間に植物に水を撒く場合には照明装置が無く、植物を鮮明に見ることができない。
【発明の開示】
【０００３】
本発明は、暗所でノズルを使用可能にする、中心部にフラッシュライトを備えたウォーターホース用ノズルを提供するものである。
【０００４】
本発明は、ハンドル及びハンドルに接続されたバレル部を含む多機能ノズルに関するものである。水路はハンドルを通して定められ、バレルの中空部に通じ、よって水をバレル部内に提供するようハンドルをホースに接続できる。ヘッド部材はバレル部の前部開口部に接続され、パターンプレートはヘッド部材に結合されている。フラッシュライトはヘッド部材に設けられ、パターンプレートに接続されている。
【０００５】
本発明は、以下の説明及び本発明の好適な実施形態を示すのみの目的で示された添付の図面により、より良く理解されよう。
【発明を実施するための最良の形態】
【０００６】
図１、３、４及び５に示すように、本発明の多機能ノズルはハンドル１０及びハンドル１０に接続されたバレル部１２を含む。水路１１はハンドル１０を通して定められバレル部１２の中空部に通じ、よってハンドル１０がホースに接続でき、水路１１を介して水がバレル部１２に供給される。トリガ１３はハンドル１０に軸接続され水路１１を介して供給される水を調節することができる。固定部１４はトリガ１３に接続され、トリガ１３を所望の位置に固定することができる。
【０００７】
ヘッド部材２２はフラッシュライト２０に取り付けられ、バレル部１２の前部開口部に接続される。ヘッド部材２２はその後部より伸びる凸部２２２を備え、凹部１２２がバレル部１２の内周に定められ、よって凸部２２２を凹部１２２に結合することができる。
【０００８】
フラッシュライト２０は電池を収めるボデー部２１及びヘッド部４０を含有する。ボデー部２１はバレル部１２に収められ、ヘッド部４０はバレル部１２の前部開口部より伸びている。環状ギャップ１２０はフラッシュライト２０とバレル部１２の内周に定められ、水を充填することができる。環状水路２５はヘッド部材２２及びバレル部１２の前部開口部との結合部分に定められ、環状ギャップ１２０及びヘッド部材２２の内部との間を通じて定められている。パターンプレート２３は孔及びヘッド部材２２と結合される中心穴２３１を含有している。パターンプレート２３はヘッド部材２２の端部に位置し、締め付け部材２４をヘッド部材２２に定められたねじ山状外周２２１に接続することにより固定される。
【０００９】
ヘッド部４０はソケット４１及びソケット４１に収められたバルブ４２を含む。シールリング４３はソケット４１の内側底部に設けられ、バルブ４２が水と接触することを防ぐ。キャップ４５はソケット４１にねじ込み接続されており、反射面を有する反射板４４がキャップ４５に結合されている。バルブ４２が反射板４４を通して伸びており、反射板４４の反射面の焦点位置に設置されている。第１導電部材４１１はバルブ４２から伸び、ボデー部２１に収められた電池の一方の端部に接続される。第２導電部材４１２はバルブ４２より伸びた第１端部を有し、第２導電部材４１２の第２端部はボデー部２１の後部に向かい伸びている。
【００１０】
さらに、図２に示すように、コントロールセット３０がバレル部１２の後部に回転可能に接続されており、フラッシュライト２０を制御する。コントロールセット３０は、バレル部１２の後部にねじ山状外周１２１にねじ込み接続されたエンドカラー３１を含有し、スイッチ部材３２は回転可能にエンドカラー３１の後部に連結されている。エンドカラー３１はその後部に環状凹部３１３を含有し、スイッチ部材３２は可動的に環状凹部３１３に結合される差込部３２４を含有する。エンドカラー３１はさらに、先細になった内周３１２１を含有する開口部３１２を含有し、スイッチ部材３２はエンドカラー３１の開口部３１２を通して伸びる環状部を含有する。先細フランジ３２３が管状部より伸びており、先細の内周３１２１に適合する。シールリング３２２は管状部に装着され、管状部に定められた溝部３２１にはめ込まれ、水がこの部分に侵入するのを防ぐ。接触部材３３はスイッチ部材３２の管状部の末端に接続され、ボデー部２１内の電池の第２端部と接触する。接触片３３１は接触部材３３より伸び、スイッチ部材３２を回転させた時、接触片３３１が第２導電部材４１２の第２端部に可動的に接触し、バルブ４２が稼動する。
【００１１】
図６に示す本発明の他の実施形態としては、フラッシュライトは図５に示すものより短く、ヘッド部材１２３に収められるボデー部１２４を含有し、反射板ユニット４６がボデー部１２４の前部に回転可能にはめられている。反射板ユニット４６は外側に伸びるフランジ４６３を含み、ボデー部１２４は内周に定められた溝部１２４２を含み、よって反射板ユニット４６のフランジ４６３は溝部１２４２に回転可能に結合される。反射板ユニット４６は前部に反射面を有し、バルブ４６１は反射板ユニット４６内の反射面の焦点位置に配置される。２つの極部材４６２は反射板ユニット４６の後部より伸びるバルブ４６１に電気的に接続されている。反射板ユニット４６はさらに外周に第１肩部４６４を含有し、ボデー部１２４は内周に第２肩部１２４１を含有し、第１肩部４６４及び第２肩部１２４１は互いにそれらの間に固定されたシールリング４９により結合されている。導電片４７は位置決め部材４７３を含有し、ボデー部１２４は内周に定められたガイドスロット１２４３を有し、よって位置決め部材４７３がボデー部１２４の導電片４７を位置付けるようにガイドスロット１２４３に挿入される。導電片４７は、ボデー部１２４に収められた電池４８に電気的に接続されている２つの導電部材４７１、４７２を有する。反射板ユニット４６は前部にレンズ４６５を有し、前面の周部から伸びる２つの突出部４６６を有し、よって突出部４６６を押すことにより反射板ユニット４６を回転させることができる。２つの極部材４６２は、反射板ユニット４６を回転させることにより、２つの導電部材４７１、４７２に可動的に接触する。
【００１２】
以上のように本発明に関する実施形態を説明してきたが、本発明の技術範囲より離れることなく更なる実施形態が可能であることは当業者には明らかである。
【図面の簡単な説明】
【００１３】
【図１】本発明のノズル及びフラッシュライトを示す分解図である。
【図２】本発明のフラッシュライトのコントロールセットを示す分解図である。
【図３】本発明のノズル及びフラッシュライトの組み合せを示す側面図である。
【図４】本発明のノズル及びフラッシュライトの組み合せの背面を示す図である。
【図５】本発明のノズル及びフラッシュライトの組み合せの断面図である。
【図５−１】本発明のヘッド部材の凸部とノズルのバレル部の凹部が結合されている状態を示す図である。
【図６】本発明の他の実施形態を示す断面図である。
【符号の説明】
【００１４】
１０  ハンドル
１１  水路
１２  バレル部
１２０  環状ギャップ
１２１  ねじ山状外周
１２２  凹部
１３  トリガ
１４  固定部
２０  フラッシュライト
２１  ボデー部
２２  ヘッド部材
２２１  ねじ山状外周
２２２  凸部
２３  パターンプレート
２３１  中心穴
２５  環状水路
３０  コントロールセット
３１  エンドカラー
３１２  開口部
３１２１  内周
３１３  環状凹部
３２  スイッチ部材
３２１  溝部
３２２  シールリング
３２３  先細フランジ
３２４  差込部
３３  接触部材
３３１  接触片
４０  ヘッド部
４１  ソケット
４１１  第１導電部材
４１２  第２導電部材
４２  バルブ
４４  反射板
４５  キャップ
１２３  ヘッド部材
１２４  ボデー部
１２４１  第２肩部
１２４２  溝部
１２４３  ガイドスロット
４６  反射板ユニット
４６１  バルブ
４６２  極部材
４６３  フランジ
４６４  第１肩部
４６６  突出部
４７  導電片
４７１  導電部材
４７２  導電部材
４７３  位置決め部材
４８  電池
４９  シールリング
【図１】
2005310474.tif 000003
【図２】
2005310474.tif 000004
【図３】
2005310474.tif 000005
【図４】
2005310474.tif 000006
【図５】
2005310474.tif 000007
【図５−１】
2005310474.tif 000008
【図６】
2005310474.tif 000009